(57)【特許請求の範囲】
【請求項１】
１フレームが所定数のサブフレームで時分割され、該サブフレームにダウンリンクとアップリンクが割当てられる時分割双方向通信方式を用いた移動体端末のダウンリンクのスループット試験を行なう移動体端末試験装置であって、
前記１フレームを構成する前記所定数のサブフレームに対するダウンリンクとアップリンクの割当てパターンを示すフレーム構成情報を、複数の異なる割当てパターンに対応して複数記憶するフレーム構成記憶部（２６）と、
スループット試験に用いるフレームの種別を指定するフレーム種別指定手段（２４）と、
前記フレーム構成記憶部に記憶されている複数のフレーム構成情報のうち、前記フレーム種別指定手段によって指定されたフレームの種別に対応するフレーム構成情報を参照して、該フレーム構成情報が示すフレーム中のアップリンクに割り当てられたサブフレームの少なくとも一つを、前記移動体端末が受信したユーザデータに対して確認／非確認メッセージを返信する応答開始用のサブフレームと決定するとともに、該決定した応答開始用のサブフレームより所定サブフレーム数前で且つダウンリンクに割り当てられたサブフレームの少なくとも一つを、スループット試験に用いるユーザデータの送信開始用のサブフレームと決定するタイミング制御部（２７）とを有し、
前記タイミング制御部で決定した送信開始用のサブフレームにユーザデータを挿入して前記移動体端末へ送信し、該ユーザデータを受信した前記移動体端末から前記決定した応答開始用のサブフレームで返信される前記確認／非確認メッセージに対する計数を行なって、前記スループットを求めることを特徴する移動体端末試験装置。
【請求項２】
１フレームが所定数のサブフレームで時分割され、該サブフレームにダウンリンクとアップリンクが割当てられる時分割双方向通信方式を用いた移動体端末のダウンリンクのスループット試験を行なう移動体端末試験方法であって、
前記１フレームを構成する前記所定数のサブフレームに対するダウンリンクとアップリンクの割当てパターンを示すフレーム構成情報を、複数の異なる割当てパターンに対応して複数記憶する段階と、
スループット試験に用いるフレームの種別を指定する段階と、
前記記憶されている複数のフレーム構成情報のうち、前記指定されたフレームの種別に対応するフレーム構成情報を参照して、該フレーム構成情報が示すフレーム中のアップリンクに割り当てられたサブフレームの少なくとも一つを、前記移動体端末が受信したユーザデータに対して確認／非確認メッセージを返信する応答開始用のサブフレームと決定するとともに、該決定した応答開始用のサブフレームより所定サブフレーム数前で且つダウンリンクに割り当てられたサブフレームの少なくとも一つを、スループット試験に用いるユーザデータの送信開始用のサブフレームと決定する段階とを含み、
前記決定した送信開始用のサブフレームにユーザデータを挿入して前記移動体端末へ送信し、該ユーザデータを受信した前記移動体端末から前記決定した応答開始用のサブフレームで返信される前記確認／非確認メッセージに対する計数を行なって、前記スループットを求めることを特徴する移動体端末試験方法。
【発明の詳細な説明】
【技術分野】
【０００１】
本発明は、ＴＤＤ（時分割双方向通信）方式の移動体端末が基地局からのダウンリンク（以下、ＤＬと記す）データを受信する際のスループットを精度よく測定するための技術に関する。
【背景技術】
【０００２】
携帯電話やスマートフォン等の移動体端末の試験には種々の項目があるが、そのうちの重要な試験項目として、基地局からのＤＬデータを受信する際のスループットがどのくらいあるかを測定するスループット試験がある。
【０００３】
移動体端末の試験は、移動体端末との間で基地局を模した通信を行なう所謂擬似基地局装置と呼ばれる試験装置を用いて行なうが、スループット試験は、試験装置側からＤＬでユーザデータを移動体端末に送信し、そのユーザデータに対して移動体端末からアップリンク（以下、ＵＬと記す）で返信される確認／非確認（以下、ＡＣＫ／ＮＡＣＫと記す）メッセージの数に基づいて、スループットを算出することで行なわれる。なお、この場合のスループットとは、ＤＬで試験装置側から送信されたデータのうち移動体端末で受信確認できたデータの割合（受信成功率）とする。
【０００４】
ここで、基地局から移動体端末へのＤＬと、移動体端末から基地局へのＵＬを異なる周波数を用いて行なうＦＤＤ（周波数分割双方向通信）方式（例えばＦＤＤ−ＬＴＥ方式）の場合、図７のように、周波数ｆ１を用いるＤＬのフレームと周波数ｆ２を用いるＵＬのフレームを構成するサブフレーム数は同一で且つ同期しており、ＤＬの所定のサブフレームにユーザデータＤａ１、Ｄａ２が挿入された信号が送信されてから、ｍ（ｍは複数）サブフレーム分後のＵＬのサブフレームにユーザデータＤａ１、Ｄａ２に対するＡＣＫ／ＮＡＣＫメッセージＭｌ、Ｍ２が挿入されて送られるように規定されている。
【０００５】
したがって、スループットを試験する場合、試験装置がＤＬの所定のサブフレームにスループット試験用のユーザデータの挿入を開始してから、ｍサブフレーム分後のＵＬのサブフレームに挿入されているＡＣＫ／ＮＡＣＫメッセージの数を計数することで、スループットを求めることができる。
【０００６】
なお、移動体端末のＤＬのスループットを測定する技術については、特許文献１に記載されている。
【先行技術文献】
【特許文献】
【０００７】
【特許文献１】特開２００９−１４７６４０
【発明の概要】
【発明が解決しようとする課題】
【０００８】
上記したように、ＤＬのフレームとＵＬのフレームの周波数が異なり、互いのサブフレームが同期しているＦＤＤ方式の場合、ＤＬのデータ送信開始タイミングからｍサブフレーム分遅れたタイミングからＡＣＫ／ＮＡＣＫメッセージの計数を開始することで、スループットを求めることができる。
【０００９】
ところが、ＤＬとＵＬが同一周波数を用い、時分割で双方向通信を行なうＴＤＤ（時分割双方向通信）方式（例えばＴＤ−ＬＴＥ方式）の場合、１フレームを構成する所定数（例えば１０）のサブフレームにＤＬとＵＬが割当てられるが、その割当てパターンが通信環境などに応じて変更できるようになっているため、スループット試験のためのＤＬのユーザデータの送信開始位置に対し、移動体端末がそのユーザデータに対してＡＣＫ／ＮＡＣＫメッセージの応答を開始するタイミングが一定でなく、正しいタイミングでＡＣＫ／ＮＡＣＫメッセージを取得してスループットの測定を行なうことができず、その測定結果に誤りが生じる恐れがあった。
【００１０】
本発明は、この問題を解決し、ＴＤＤ方式の移動体端末のＤＬのスループットを精度よく測定できる移動体端末試験装置および試験方法を提供することを目的としている。
【課題を解決するための手段】
【００１１】
前記目的を達成するために、本発明の請求項１の移動体端末試験装置は、
１フレームが所定数のサブフレームで時分割され、該サブフレームにダウンリンクとアップリンクが割当てられる時分割双方向通信方式を用いた移動体端末のダウンリンクのスループット試験を行なう移動体端末試験装置であって、
前記１フレームを構成する前記所定数のサブフレームに対するダウンリンクとアップリンクの割当てパターンを示すフレーム構成情報を、複数の異なる割当てパターンに対応して複数記憶するフレーム構成記憶部（２６）と、
スループット試験に用いるフレームの種別を指定するフレーム種別指定手段（２４）と、
前記フレーム構成記憶部に記憶されている複数のフレーム構成情報のうち、前記フレーム種別指定手段によって指定されたフレームの種別に対応するフレーム構成情報を参照して、該フレーム構成情報が示すフレーム中のアップリンクに割り当てられたサブフレームの少なくとも一つを、前記移動体端末が受信したユーザデータに対して確認／非確認メッセージを返信する応答開始用のサブフレームと決定するとともに、該決定した応答開始用のサブフレームより所定サブフレーム数前で且つダウンリンクに割り当てられたサブフレームの少なくとも一つを、スループット試験に用いるユーザデータの送信開始用のサブフレームと決定するタイミング制御部（２７）とを有し、
前記タイミング制御部で決定した送信開始用のサブフレームにユーザデータを挿入して前記移動体端末へ送信し、該ユーザデータを受信した前記移動体端末から前記決定した応答開始用のサブフレームで返信される前記確認／非確認メッセージに対する計数を行なって、前記スループットを求めることを特徴する。
【００１２】
また、本発明の請求項２の移動体端末試験方法は、
１フレームが所定数のサブフレームで時分割され、該サブフレームにダウンリンクとアップリンクが割当てられる時分割双方向通信方式を用いた移動体端末のダウンリンクのスループット試験を行なう移動体端末試験方法であって、
前記１フレームを構成する前記所定数のサブフレームに対するダウンリンクとアップリンクの割当てパターンを示すフレーム構成情報を、複数の異なる割当てパターンに対応して複数記憶する段階と、
スループット試験に用いるフレームの種別を指定する段階と、
前記記憶されている複数のフレーム構成情報のうち、前記指定されたフレームの種別に対応するフレーム構成情報を参照して、該フレーム構成情報が示すフレーム中のアップリンクに割り当てられたサブフレームの少なくとも一つを、前記移動体端末が受信したユーザデータに対して確認／非確認メッセージを返信する応答開始用のサブフレームと決定するとともに、該決定した応答開始用のサブフレームより所定サブフレーム数前で且つダウンリンクに割り当てられたサブフレームの少なくとも一つを、スループット試験に用いるユーザデータの送信開始用のサブフレームと決定する段階とを含み、
前記決定した送信開始用のサブフレームにユーザデータを挿入して前記移動体端末へ送信し、該ユーザデータを受信した前記移動体端末から前記決定した応答開始用のサブフレームで返信される前記確認／非確認メッセージに対する計数を行なって、前記スループットを求めることを特徴する。
【発明の効果】
【００１３】
このように、本発明では、予め、時分割双方向通信方式において１フレームを構成する所定数のサブフレームに対するダウンリンクとアップリンクの割当てパターンを示すフレーム構成情報を、複数の異なる割当てパターンに対応して複数記憶しておき、スループット試験に用いるフレームの種別が指定されたときに、その記憶されている複数のフレーム構成情報のうち、指定されたフレームの種別に対応するフレーム構成情報を参照して、そのフレーム構成情報が示すフレーム中のアップリンクに割り当てられたサブフレームの少なくとも一つを、移動体端末が受信したユーザデータに対して確認／非確認メッセージを返信する応答開始用のサブフレームと決定するとともに、その決定した応答開始用のサブフレームより所定サブフレーム数前で且つダウンリンクに割り当てられたサブフレームの少なくとも一つを、スループット試験に用いるユーザデータの送信開始用のサブフレームと決定し、その決定した送信開始用のサブフレームにユーザデータを挿入して移動体端末へ送信し、そのユーザデータを受信した移動体端末から決定した応答開始用のサブフレームで返信される確認／非確認メッセージに対する計数を行なって、スループットを求めている。
【００１４】
このため、ＴＤＤ方式の移動体端末のスループット試験に用いられる複数種のフレーム構成のいずれが指定されても、移動体端末へ送信したユーザデータに対して、所望のアップリンクのサブフレームで移動体端末からの確認／非確認メッセージの返信を受けることができ、その移動体端末のダウンリンクのスループットを正しく行なうことができる。
【図面の簡単な説明】
【００１５】
【図１】本発明の実施形態の構成図
【図２】ＴＤＤ方式のフレーム構成の種別を示す図
【図３】一つのフレーム構成についての処理を説明するための図
【図４】別のフレーム構成についての処理を説明するための図
【図５】各フレーム構成について、応答開始位置とそれを基準とする送信開始位置との対応関係を示す図
【図６】本発明の実施形態の処理手順を示すフローチャート
【図７】ＦＤＤ方式のスループット試験を説明するための図
【発明を実施するための形態】
【００１６】
以下、図面に基づいて本発明の実施の形態を説明する。
図１は、本発明を適用した移動体端末試験装置（以下単に試験装置と記す）２０の全体構成図である。
【００１７】
試験装置２０は、１フレームが所定数のサブフレームで時分割され、それらのサブフレームにＤＬとＵＬが割当てられるＴＤＤ（時分割双方向通信）方式を用いた移動体端末１のダウンリンクのスループット試験を行なうものであり、送受信部２１と試験処理部２２によって構成されている。なお、ＴＤ−ＬＴＥ方式では、この１フレームを無線フレームと呼んでいるが、ここでは、単にフレームと記す。
【００１８】
送受信部２１は、試験処理部２２からのデータ信号で変調された高周波信号を試験対象の移動体端末１に与え、移動体端末１からの高周波信号を受信復調し、得られたデータ信号を試験処理部２２に与える。
【００１９】
試験処理部２２は、送受信部２１を介して移動体端末１との間で基地局を模した通信を行い、移動体端末１に対する種々の試験を行なうが、ここでは、主に移動体端末１のＤＬのスループット試験を行なうために必要な構成要件を示す。
【００２０】
試験処理部２２は、データ処理部２３、シナリオ処理部２４、ユーザデータ発生部２５、フレーム構成記憶部２６、タイミング制御部２７、スループット測定部２８によって構成されている。
【００２１】
データ処理部２３は、ユーザデータ発生部２５から出力されたユーザデータを、タイミング制御部２７から通知された所定のタイミングでＤＬのサブフレームに挿入して、これを送信データとして送受信部２１に与え、送受信部２１の受信データからスループット測定に必要なＡＣＫ／ＮＡＣＫメッセージを抽出し、スループット測定部２８へ与える。また、シナリオ処理部２４からの制御データを送信データに含めて出力し、送受信部２１からの受信データから制御データを抽出してシナリオ処理部２４に与える。
【００２２】
シナリオ処理部２４は、試験装置２０の全体の試験手順を定義したシナリオを予め記憶し、その手順にしたがって、移動体端末１との間の接続やスループット試験に必要な移動体端末１との間の制御データの授受、ユーザデータ発生部２５へのデータ発生指示、タイミング制御部２７へのフレーム構成種別通知（フレーム種別指定手段）、スループット測定部２８への測定指示等の処理を行なう。
【００２３】
ユーザデータ発生部２５は、シナリオ処理部２４からのデータ発生指示を受けて、スループット試験に用いるＤＬのユーザデータを発生させる。
【００２４】
フレーム構成記憶部２６には、予め、スループット試験で用いるフレームを構成する所定数のサブフレームに対するダウンリンクとアップリンクの割当てパターンを示すフレーム構成情報が、複数の異なる割当てパターンに対応して複数記憶されている。
【００２５】
図２は、ＴＤ−ＬＴＥ方式で用いる７種類のフレームを表すものであり、記号ＵがＵＬのサブフレーム、記号ＤがＤＬのサブフレーム、記号Ｓがスペシャルサブフレームである。なお、スペシャルサブフレームＳは、ギャップ部を挟んでその前にＤＬ部（ＤｗＰＴＳ）、後ろにＵＬ部（ＵｐＰＴＳ）が存在しているが、スループット試験においては、ＤＬ部を用いてユーザデータ送信を行なうＤＬのサブフレームとして扱う。
【００２６】
この図２からわかるように、フレームの構成は、スペシャルサブフレームＳが１０サブフレーム（１０ｍｓ）中１つ存在するもの（スイッチポイント間隔１０ｍｓ）と、スペシャルサブフレームＳが１０サブフレーム中５ｍｓ間隔で２つ存在するもの（スイッチポイント間隔５ｍｓ）に大別され、その二つのタイプそれぞれについて、サブフレームＤ、Ｌの割当てパターンが異なっている。
【００２７】
これら７種類の異なる構成のフレームのいずれを使うかは、シナリオ処理部２４がシナリオにしたがって指定することになるが、ＤＬのサブフレーム（スペシャルサブフレームＳのＤＬ部も含む）に挿入されたユーザデータを受けた移動体端末１がそのユーザデータに対するＡＣＫ／ＮＡＣＫメッセージを返信するまでには、データ復調、誤りチェック等を処理のために相応の時間が必要ある。
【００２８】
したがって、例えばユーザデータが挿入されたＤＬのサブフレームの直後のサブフレームがＵＬであっても、そのＵＬのサブフレームでＡＣＫ／ＮＡＣＫメッセージを返信することはできず、それより後のＵＬのサブフレームでの応答を待たなければならない。しかも、試験に用いるフレームの構成は、シナリオ処理部２４の指定により任意に変化するので、ユーザデータを挿入したＤＬのサブフレーム送信後にその応答が得られるＵＬのタイミングも一定でない。
【００２９】
これに対応するために、タイミング制御部２７は、フレーム構成記憶部２６に記憶されているフレーム構成のうち、シナリオ処理部２４から指定されたフレームの種別に対応するフレーム構成の情報を参照し、指定されたフレーム構成のＵＬのサブフレームのうち、送信しようとするユーザデータに対して移動体端末１からＡＣＫ／ＮＡＣＫメッセージが返信される少なくとも一つのサブフレームを応答開始用のサブフレームと決定し、その応答開始用のサブフレームでＡＣＫ／ＮＡＣＫメッセージが返信されるためのＤＬのサブフレームを、ユーザデータの送信開始用のサブフレームとして決定する。
【００３０】
このタイミング制御部２７によって決定された送信開始用のサブフレームのタイミング情報はデータ処理部２３に通知され、応答開始用のサブフレームのタイミング情報はスループット測定部２８に通知される。
【００３１】
スループット測定部２８は、タイミング制御部２７から通知されたタイミングから、ＡＣＫ／ＮＡＣＫメッセージに対する計数を開始するメッセージ計数部２８ａと、その計数結果からスループットを算出するスループット算出部２８ｂにより構成され、試験対象の移動体端末１のＤＬのスループットＴＰを求める。
【００３２】
なお、スループットＴＰは、ＡＣＫメッセージの計数結果をＡ、ＮＡＣＫメッセージの計数結果をＮとすれば、
ＴＰ（％）＝１００×Ａ／（Ａ＋Ｎ）
となる。このようにして求められたスループットＴＰは、例えば図示しない表示部に表示される。
【００３３】
ここで、移動体端末１からＡＣＫ／ＮＡＣＫメッセージの返信を受けるＵＬのサブフレームと、それを応答開始位置とするための送信開始用のＤＬのサブフレームとの関係について説明する。
【００３４】
例えば、図２のフレーム種別５では、１フレーム中にＵＬのサブフレームはＵ１の一つしか存在しないので、ＡＣＫ／ＮＡＣＫメッセージの返信はこの唯一のサブフレームＵ１を使用することになる。
【００３５】
そして、図３に示すように、移動体端末１がｎ番目のフレーム中のＵＬサブフレームＵ１でＡＣＫ／ＮＡＣＫメッセージを返信するためには、そのサブフレームを基準として少なくとも４サブフレーム以上前のＤＬのサブフレームを使用する。即ち、一つの前のｎ−１番目のフレームの中の１〜７番目のＤＬサブフレームＤ１〜Ｄ７およびスペシャルサブフレームＳ１、さらにその前のｎ−２番目のフレームの中の８番目のＤＬサブフレームＤ８の少なくとも一つを用いる必要がある。
【００３６】
つまり、応答開始用のＵＬのサブフレームを基準とし、その基準から前に数えて４〜９番目までの各サブフレームおよび１１〜１３番目までの各サブフレームが、ユーザデータ挿入が可能な送信開始用のＤＬのサブフレームの候補となる。
【００３７】
また、例えば、図２のフレーム種別０で、図４のように移動体端末１がｎ番目のフレームの１番目のＵＬのサブフレームＵ１を応答開始用のサブフレームとして使用する場合には、それより１つ前のｎ−１番目のフレームのスペシャルサブフレームＳ２を、ユーザデータの送信開始用のサブフレームとし、また、ｎ番目のフレームの３番目のＵＬのサブフレームＵ３を応答開始用のサブフレームとして使用する場合には、そのｎ番目のフレームの先頭のＤＬサブフレームＤ１をユーザデータユーザデータの送信開始用のサブフレームとすることができる。また、ｎ番目のフレームの４番目のＵＬのサブフレームＵ４を応答開始用のサブフレームとして使用する場合には、そのｎ番目のフレームの最初のスペシャルサブフレームＳ１をユーザデータの送信開始用のサブフレームとすることができ、さらに、ｎ番目のフレームの６番目のＵＬのサブフレームＵ６を応答開始用のサブフレームとして使用する場合には、そのｎ番目のフレームの２番目のＤＬサブフレームＤ２をユーザデータの送信開始用のサブフレームとすることができる。
【００３８】
つまり、ＡＣＫ／ＮＡＣＫメッセージを受けようとするＵＬのサブフレームから数えて４サブフレーム以上１３サブフレーム以内のＤＬおよびスペシャルのサブフレームが、ユーザデータの送信開始用のサブフレームの候補となる。
【００３９】
なお、実際にスループットを精度よく求めるためには、多くのユーザデータを用いることが望ましく、上記のデータ挿入対象のすべてのＤＬのサブフレーム（スペシャルサブフレーム含む）をユーザデータの送信に用い、これらすべてのユーザデータに対する移動体端末１からのＡＣＫ／ＮＡＣＫメッセージをＵＬのサブフレームで返信させることで、最も高い精度で試験が行なえる。
【００４０】
即ち、図３のフレーム種別５の場合、応答開始位置から前に数えて４サブフレーム目から１３サブフレーム目のうち、１０サブフレーム目のＵＬを除いたすべてのサブフレームを用いてユーザデータを送信し、これらすべてのユーザデータに対するＡＣＫ／ＮＡＣＫメッセージを一つのＵＬサブフレームＵ１で受けてその累積値からスループット算出を行なえばよい。また、図４のフレーム種別０の場合には、ｎ−１番目のフレームのサブフレームＳ２およびｎ番目のフレームの各サブフレームＳ１、Ｄ１、Ｄ２を用いてユーザデータを送信し、４つの応答開始位置Ｕ１、Ｕ３、Ｕ４、Ｕ６のすべてを用いて、それら各サブフレームで返信されたＡＣＫ／ＮＡＣＫメッセージの累積値からスループット算出を行なえばよい。
【００４１】
また、データ数をより多くするために、上記処理を複数フレーム分行ない、そのメッセージ累計値を用いてスループット算出を行なうこともできる。
【００４２】
図５は、上記関係をまとめたものであり、７種類のフレーム構造について、ＡＣＫ／ＮＡＣＫメッセージを受ける応答開始用のＵＬのサブフレームを基準とし、その基準から数えて何番目前のサブフレーム（ＤＬサブフレームおよびスペシャルサブフレームＳ）をユーザデータの送信開始用とすればよいかを表している。
【００４３】
前記したタイミング制御部２７は、この図５の関係を予め記憶していて、シナリオ処理部２４から指定された種別のフレーム構成を参照し、そのフレーム構成において、ＵＬのうちＡＣＫ／ＮＡＣＫメッセージを得るための応答開始用のサブフレームを決定し、その決定した応答開始用のサブフレームでＡＣＫ／ＮＡＣＫメッセージを受けられるユーザデータの送信開始用のサブフレームを求め、その送信開始用のサブフレームのタイミング情報をデータ処理部２３に通知するともに、スループット測定部２８に対し、応答開始用のサブフレームのタイミング情報を通知する。
【００４４】
このため、試験者がシナリオ処理部２４に試験条件を記録する際に、所望のフレームの種別を指定するだけで、そのフレームの構成に対して最適な応答開始用のＵＬのサブフレームと、送信開始用のサブフレームとが決定され、その形成されたサブフレームによるスループット試験を確実に行なうことができる。
【００４５】
図６は、この試験装置２０の試験処理部２２の処理手順を示すフローチャートである。以下、このフローチャートに基づいて、試験装置２０の動作を説明する。
【００４６】
始めに、シナリオ処理部２４により、移動体端末１との間で各種制御データの送受信を行い、呼接続およびデータ通信チャネルを確立させる（Ｓ１）。
【００４７】
次に、シナリオ処理部２４がスループット試験に用いるフレームの種別をタイミング制御部２７に通知する（Ｓ２）。
【００４８】
この通知を受けたタイミング制御部２７が、通知された種別のフレーム構成に基づいて応答開始位置となるＵＬのサブフレームを決定し、これをスループット測定部２８に通知するとともに、それに対応するユーザデータの送信開始位置となるサブフレームを決定し、データ処理部２３へ通知する（Ｓ３）。
【００４９】
次に、シナリオ処理部２４がユーザデータ発生部２５へのデータ発生指示およびスループット測定部２８への測定開始指示を行う（Ｓ４）。
【００５０】
この指示に対して、ユーザデータ発生部２５がスループット試験に用いる誤りの無いユーザデータをデータ処理部２３に出力するが、データ処理部２３は、移動体端末１との間で通信に用いる所定のフレームのＤＬのサブフレームのうち、タイミング制御部２７から通知されている送信開始用のサブフレームにユーザデータに挿入して送受信部２１へ送信し、試験対象の移動体端末１にこのユーザデータを伝達させる（Ｓ５）。
【００５１】
このユーザデータを受信した移動体端末１は、端末内部で受信したユーザデータの誤りチェック（ＣＲＣ）を行い、誤りが無ければＡＣＫメッセージ、誤りがあればＮＡＣＫメッセージを、そのユーザデータを受信したサブフレームから数えて所定番目後のＵＬのサブフレームに挿入して返信することになる。
【００５２】
移動体端末１からＵＬのサブフレームで返信されたメッセージは、送受信部２１およびデータ処理部２３を介してスループット測定部２８に送出されるが、スループット測定部２８は、タイミング制御部２７から通知されている応答開始用のサブフレームの受信タイミングからＡＣＫ／ＮＡＣＫのメッセージの計数を開始し、例えばその総和Ａ＋Ｎが所定数Ｋ（送ったデータ数）に達した段階で、その計数値Ａ、Ｎを用いてスループットＴＰの計算を行なう（Ｓ６〜Ｓ８）。
【００５３】
このように構成されているので、実施形態の試験装置２０では、試験者が、フレームの種別によるＡＣＫ／ＮＡＣＫメッセージの応答タイミングとユーザデータの送信タイミングとの関係を考慮して試験手順を設定するという手間をかけることなく、ＴＤＤ方式の移動体端末１のＤＬのスループットを精度よく測定することができる。
【符号の説明】
【００５４】
１……移動体端末、２０……移動体端末試験装置、２１……送受信部、２２……試験処理部、２３……データ処理部、２４……シナリオ処理部、２５……ユーザデータ発生部、２６……フレーム構成記憶部、２７……タイミング制御部、２８……スループット測定部、２８ａ……メッセージ計数部、２８ｂ……スループット算出部
【図１】
0005851482.tif 000002
【図２】
0005851482.tif 000003
【図３】
0005851482.tif 000004
【図４】
0005851482.tif 000005
【図５】
0005851482.tif 000006
【図６】
0005851482.tif 000007
【図７】
0005851482.tif 000008